【手続補正書】
【提出日】平成18年6月13日(2006.6.13)
【手続補正１】
【補正対象書類名】明細書
【補正対象項目名】特許請求の範囲
【補正方法】変更
【補正の内容】
【特許請求の範囲】
【請求項１】  循環前立腺特異抗原に特異的に結合し治療的免疫応答を誘導する結合剤を含む前立腺癌治療のための組成物であって、該結合剤が、組成物中に、宿主の体重1kgあたり約0.1μgから約2mgの量存在する、組成物。
。
【請求項２】  循環前立腺特異抗原に特異的に結合する結合剤で、抗原に結合して免疫原性結合剤-抗原複合体を形成することのできる結合剤を含む前立腺癌治療のための組成物であって、該結合剤が、組成物中に、宿主の体重1kgあたり約0.1μgから約2mgの量存在する、組成物。
【請求項３】  循環前立腺特異抗原のエピトープに特異的に結合する結合剤で、抗原に結合して免疫原性結合剤-抗原複合体を形成することができ、組成物中に、宿主の体重1kgあたり約0.1μgから約2mgの量存在する結合剤を含む、免疫応答を誘導するための組成物。
【請求項４】  循環前立腺特異抗原のエピトープに特異的に結合する結合剤で、循環前立腺特異抗原に結合して免疫原性結合剤-抗原複合体を形成することができ、組成物中に、宿主の体重1kgあたり約0.1μgから約2mgの量存在する結合剤を含む、腫瘍関連抗原の免疫原性を増大させるための組成物。
【請求項５】  結合剤が、配列番号：1のアミノ酸配列を含む循環前立腺特異抗原のエピトープに特異的に結合する、請求項１、２、３、または４記載の組成物。
【請求項６】  循環前立腺特異抗原のエピトープに特異的に結合し治療的免疫応答を誘導する結合剤を含む前立腺癌治療のための組成物であって、該エピトープが配列番号：1のアミノ酸配列を含む、組成物。
【請求項７】  循環前立腺特異抗原のエピトープに特異的に結合する結合剤で、抗原に結合して免疫原性結合剤-抗原複合体を形成することのできる結合剤を含む前立腺癌治療のための組成物であって、該エピトープが配列番号：1のアミノ酸配列を含む、組成物。
【請求項８】  循環前立腺特異抗原のエピトープに特異的に結合する結合剤で、抗原に結合して免疫原性結合剤-抗原複合体を形成することのできる結合剤を含む免疫応答を誘導するための組成物であって、該エピトープが配列番号：1のアミノ酸配列を含む、組成物。
【請求項９】  循環前立腺特異抗原のエピトープに特異的に結合する結合剤で、循環前立腺特異抗原に結合して免疫原性結合剤-抗原複合体を形成することのできる結合剤を含む腫瘍関連抗原の免疫原性を増大させるための組成物であって、該エピトープが配列番号：1のアミノ酸配列を含む、組成物。
【請求項１０】  結合剤が、組成物中に、宿主の体重1kgあたり約0.1μgから約2mgの量存在する、請求項６、７、８、または９記載の組成物。
【請求項１１】  組成物がATCC受託番号12526を有する結合剤を含む、請求項１〜９記載の組成物。
【請求項１２】  免疫応答が体液性免疫応答と細胞性免疫応答を含む、請求項１、３、６、または８記載の組成物。
【請求項１３】  前立腺癌治療のための組成物であって、ATCC受託番号12526を有するハイブリドーマにより産生される抗体によって結合されるエピトープと同じエピトープに結合する結合剤を含む、組成物。
【請求項１４】  結合剤が免疫原性担体と複合している、請求項１〜１３記載の組成物。
【請求項１５】  免疫原性担体がキーホールリンペットヘモシアニンである、請求項１４記載の組成物。
【請求項１６】  循環前立腺特異抗原に特異的に結合する結合剤で、組成物中に、宿主の体重1kgあたり約0.1μgから約2mgの量存在する結合剤を含む組成物を宿主に投与し、抗原に対する治療的免疫応答を誘導することを含む、前立腺癌の治療方法。
【請求項１７】  循環前立腺特異抗原のエピトープに特異的に結合する結合剤で、抗原に結合して免疫原性結合剤-抗原複合体を形成することのできる結合剤であり、組成物中に、宿主の体重1kgあたり約0.1μgから約2mgの量存在する結合剤を含む組成物を宿主に投与することを含む、前立腺癌の治療方法。
【請求項１８】  循環前立腺特異抗原のエピトープに特異的に結合する結合剤で、抗原に結合して免疫原性結合剤-抗原複合体を形成することのできる結合剤であり、組成物中に、宿主の体重1kgあたり約0.1μgから約2mgの量存在する結合剤を含む組成物を宿主に投与することを含む、免疫応答の誘導方法。
【請求項１９】  循環前立腺特異抗原のエピトープに特異的に結合する結合剤で、抗原に結合して免疫原性結合剤-抗原複合体を形成することのできる結合剤であり、組成物中に、宿主の体重1kgあたり約0.1μgから約2mgの量存在する結合剤を含む組成物を宿主に投与することを含む、腫瘍関連抗原の免疫原性を増大させる方法。
【請求項２０】  結合剤が、配列番号：1のアミノ酸配列を含む循環前立腺特異抗原のエピトープに特異的に結合する、請求項１６、１７、１８、または１９記載の方法。
【請求項２１】  循環前立腺特異抗原のエピトープに特異的に結合する結合剤を含む組成物を宿主に投与し、抗原に対する治療的免疫応答を誘導することを含む、前立腺癌の治療方法であって、該エピトープが配列番号：1のアミノ酸配列を含む、方法。
【請求項２２】  循環前立腺特異抗原のエピトープに特異的に結合する結合剤で、抗原に結合して免疫原性結合剤-抗原複合体を形成することのできる結合剤を含む組成物を宿主に投与することを含む、前立腺癌の治療方法であって、該エピトープが配列番号：1のアミノ酸配列を含む、方法。
【請求項２３】  循環前立腺特異抗原のエピトープに特異的に結合する結合剤で、抗原に結合して免疫原性結合剤-抗原複合体を形成することのできる結合剤を含む組成物を宿主に投与することを含む、免疫応答の誘導方法であって、該エピトープが配列番号：1のアミノ酸配列を含む、方法。
【請求項２４】  循環前立腺特異抗原のエピトープに特異的に結合する結合剤で、抗原に結合して免疫原性結合剤-抗原複合体を形成することのできる結合剤を含む組成物を宿主に投与することを含む、腫瘍関連抗原の免疫原性を増大させる方法であって、該エピトープが配列番号：1のアミノ酸配列を含む、方法。
【請求項２５】  結合剤が、組成物中に、宿主の体重1kgあたり約0.1μgから約2mgの量存在する、請求項２１、２２、２３、または２４記載の方法。
【請求項２６】  組成物が、ATCC受託番号12526を有する結合剤を含む、請求項１６〜２４記載の方法。
【請求項２７】  組成物の有効量が宿主に投与される、請求項１６〜２４記載の方法。
【請求項２８】  免疫応答が体液性免疫応答と細胞性免疫応答を含む、請求項１６、１８、２１、または２３記載の方法。
【請求項２９】  組成物がATCC受託番号12526を有するハイブリドーマにより産生される抗体によって結合されるエピトープと同じエピトープに結合する結合剤を含む組成物を宿主に投与することを含む、前立腺癌の治療方法。
【請求項３０】  結合剤が免疫原性担体と複合している、請求項１６〜２９記載の方法。
【請求項３１】  免疫原性担体がキーホールリンペットヘモシアニンである、請求項３０記載の方法。
【手続補正２】
【補正対象書類名】明細書
【補正対象項目名】０００４
【補正方法】変更
【補正の内容】
【０００４】
その組織特異性により、PSAは、前立腺癌に対する免疫療法の開発のために特に魅力的な標的抗原である。PSAはほとんど全ての前立腺の腺癌腫で検出され、PSAの発現は離れた転移位置でも明らかになった。PSAは前立腺癌に対するT細胞主導の免疫性を誘導するための潜在的な標的であると、いくつかの研究が指摘している。確かに、MHCクラスI分子に結合可能ないくつかのPSAペプチドが同定されており、今では、PSA特異的なT細胞レパートリーがヒトに存在することが十分に確立されている。前立腺特異抗原由来のペプチド（およびそのペプチドのアミノ酸配列）に特異的な細胞障害性T細胞が記述されている [Correaleら，J. Nat. Cancer Inst. 89：293-300 (1997)]。In vitroの免疫感作を用いた他の研究では、PSAに特異的なCD4細胞およびCD8細胞の産生が示され、PSAペプチドを特異的に認識するT細胞株が健常ボランティアと前立腺癌患者の両方から生じた。PSA特異的でヒト前立腺腫瘍細胞を溶解可能な細胞障害性Tリンパ球がin vitroで生じたことは特に重要である [Xueら，Prostate 30(2)：73-8 (1997)；Correaleら，Journal of Immunology 161(6)：3186-94 (1998)；Alexanderら，Urology 51(1)：150-7 (1998)]。
前立腺癌の免疫療法のための抗PSAモノクローナル抗体の潜在的な使用が示唆されているだけでなく、そのような抗体の産生も報告されている [Leveugleら，Proc. Amer. Assoc. Cancer Res. Ann. Meeting 39：355 (1998)]。